(57)【要約】      （修正有）【課題】経机の本体の前面よりの突出量の拡大を図った仏壇を提供する。【解決手段】仏壇は、前面を有する本体を備えた仏壇であって、本体内に設けられ、使用時、本体の前面より突出するように設けられた上面が載置台３０ａとなる経机３０と、本体内の下方側に位置するベース１７と、このベース１７に固定された固定側レールＦ１と、この固定側レールＦ１に対して摺動して移動する中間移動側レールＭと、経机３０の底面に固定され、中間移動側レールＭに対して摺動して移動する移動側レールＴとを備えているものである。【選択図】図８
0003183885.tif 000002
【実用新案登録請求の範囲】
【請求項１】
前面を有する本体を備えた仏壇であって、
前記本体内に設けられ、使用時、前記本体の前面より突出するように設けられた上面が載置台となる経机と、
前記本体内の下方側に位置するベースと、
このベースに固定された固定側レールと、
この固定側レールに対して摺動して移動する中間移動側レールと、
前記経机の底面に固定され、前記中間移動側レールに対して摺動して移動する移動側レールとを備えている
ことを特徴とする仏壇。                             
【請求項２】
仏壇は、載置面に設置され、
経机の底面に前記載置面に当接する折曲自在な脚部が設けられている
ことを特徴とする請求項１記載の仏壇。
【考案の詳細な説明】
【技術分野】
【０００１】
本考案は、仏壇に係り、特に、経机の本体の前面よりの突出量の拡大を図った仏壇に関する。
【背景技術】
【０００２】
従来、例えば、経机を備えた仏壇がある（例えば、特許文献１参照）。
この仏壇は、箱体内に前方開口部より突出自在に設けられた経机を設け、経机の先端を箱部の前方開口部より突出できるようにしている。
【先行技術文献】
【特許文献】
【０００３】
【特許文献１】特開２００９−２７９３３８号公報（図３）
【考案の開示】
【考案が解決しようとする課題】
【０００４】
ところが、経机の先端を箱部の前方開口部よりの突出量を増大させようとすれば、経机の支持が不安定になるという問題点があった。
【０００５】
本考案は、上記の問題点を除去するようにした仏壇を提供することを目的とする。
【課題を解決するための手段】
【０００６】
請求項１記載の仏壇は、前面を有する本体を備えた仏壇であって、前記本体内に設けられ、使用時、前記本体の前面より突出するように設けられた上面が載置台となる経机と、前記本体内の下方側に位置するベースと、このベースに固定された固定側レールと、この固定側レールに対して摺動して移動する中間移動側レールと、前記経机の底面に固定され、前記中間移動側レールに対して摺動して移動する移動側レールとを備えているものである。
【０００７】
また、請求項２記載の仏壇は、請求項１記載の仏壇において、仏壇は、載置面に設置され、経机の底面に前記載置面に当接する折曲自在な脚部が設けられているものである。
【考案の効果】
【０００８】
請求項１記載の仏壇によれば、経机を使用するときには、経机を最大前方へ引き出そうとすれば、中間移動側レール、移動側レールと移動して、中間移動側レールが移動する分、経机の先端が本体の前面より突出するため、突出する分、経机を本体の前面よりより大きく引き出すことができる。
その結果、経机の上面が開放され、経机の上面に蝋燭台、花瓶等を自由に載置することができ、使用勝手を向上させることができる。
【０００９】
また、請求項２記載の仏壇によれば、上述の請求項１記載の考案の効果に加え、経机を最大前方へ引き出そうとすれば、中間移動側レールが移動する分、経机の先端が本体の前面より突出するため、経机が不安定となるが、経机の底面に設けられた折曲自在な脚部を載置面に当接して、経机を支持することができる。
【図面の簡単な説明】
【００１０】
【図１】図１は、本考案の一実施例の仏壇の概略的斜視図で、開閉可能な一対の扉板を有する本体の前面の開口部が開いた状態を示している。
【図２】図２は、図１の経机を前方へ引き出し、経机の底面に設けた脚部を載置面に当接させて、経机を支持している状態の概略的斜視図である。
【図３】図３は、図１の仏壇の概略的正面図である。
【図４】図４は、図３の概略的側面図である。
【図５】図５は、図４の経机を前方へ引き出した状態の概略的側面図である。
【図６】図６は、図３のＡ−Ａ線の概略的断面図である。
【図７】図７は、図６の経机が本体内から前方へ引き出された状態の概略的一部断面図である。
【図８】図８は、図７の経机が本体内から更に前方へ引き出された状態の概略的断面図である。
【図９】図９は、図８のＣ−Ｃ線の概略的断面図である。
【図１０】図１０は、図８のＤ−Ｄ線の概略的断面図である。
【図１１】図１１は、図１０の膳引きを本体内に収納した状態の概略的断面図である。
【図１２】図１２は、図６のＢ−Ｂ線の概略的断面図である。
【図１３】図１３は、図１２のＥ−Ｅ線の概略的断面図である。
【図１４】図１４は、図１３のＦ−Ｆ線の概略的断面図である。
【考案を実施するための形態】
【００１１】
本考案の一実施例の仏壇を図面を参照して説明する。
図１乃至図１４において、１は仏壇で、仏壇１は、前面を有する本体１０を備え、載置面(図５参照)１００に設置されている。
本体１０は、例えば、天板１１、底板１２、両側板１３、１４、背板１５からなる前方が開放された箱形形状となっている。
この箱形形状の前面は、扉２０で開閉可能となっており、扉２０は、正面視、右側扉Ａ１、Ａ２と左側扉Ｂ１、Ｂ２とを有し、右側扉Ａ１と右側扉Ａ２とは蝶番Ｔで、左側扉ａ１と左側扉ａ２とは、蝶番ｔで接続されている。
【００１２】
また、本体１０には、図６乃至図８に示すように、下方にベース１７が設けられ、該ベース１７より上方に位置し、本体１０内に水平部材１８が設けられている。
また、本体１０内には、図示しない安置物、仏飯器、茶台、香炉、燭台、花立等の仏具、経机３０が収納されている。
【００１３】
経机３０は、本体１０内に設けられ、使用時、本体１０の前面より突出するように設けられた上面３０ａが載置台となるものである。
経机３０には、例えば、第１の収納部３０ｂ、第２の収納部３０ｃが設けられている。
また、経机３０の底面には、載置面１００に当接する折曲自在な脚部３０ｄ、３０ｄが設けられている（図２、図５参照）。
【００１４】
なお、経机３０の本体１０内の収納時、経机３０は、水平部材１８とベース１７の間に位置している（図６参照）。
ベース１７には、図１４に示すように、固定側レールＦ１が、該固定側レールＦ１には、第１のストッパー（図示せず）が、それぞれ設けられている。
経机３０の底面には、移動側レールＭが固定されている（図７、図８参照）。移動側レールＭに対して摺動して移動し、且つ、固定側レールＦ１に対して摺動して移動する中間移動側レールＴが、固定側レールＦ１と移動側レールＭとの間に設けられている(図７、図８、図１４参照)。
中間移動側レールＴには、第２のストッパー（図示せず）が設けられている。
【００１５】
また、図５、図８、図９、図１０、図１１に示す２０’は、膳引きである。
【００１６】
従って、上述した仏壇１によれば、経机３０を使用するときには、経机３０を最大前方へ引き出そうとすれば、図５に示すように、中間移動側レールＴ、移動側レールＭが移動して、中間移動側レールＴが移動する分、経机３０の先端が本体１０の前面より突出するため、突出する分、経机３０を本体１０の前面よりより大きく引き出すことができる。
その結果、経机３０の上面３０ａが開放され、経机３０の上面３０ａに蝋燭台、花瓶等を自由に載置することができ、使用勝手を向上させることができる。
また、中間移動側レールＴが移動する分、経机３０の先端が本体１０の前面より突出するため、経机３０が不安定となるが、経机３０の底面に設けられた折曲自在な脚部３０ｄを載置面１００に当接して、経机３０を支持することができる（図２、図５参照）。
【符号の説明】
【００１７】
１      仏壇
１０    本体
１７    ベース
３０    経机
３０ａ  載置台
Ｆ１    固定側レール
Ｔ      移動側レール
Ｍ      中間移動側レール
【図１】
0003183885.tif 000003
【図２】
0003183885.tif 000004
【図３】
0003183885.tif 000005
【図４】
0003183885.tif 000006
【図５】
0003183885.tif 000007
【図６】
0003183885.tif 000008
【図７】
0003183885.tif 000009
【図８】
0003183885.tif 000010
【図９】
0003183885.tif 000011
【図１０】
0003183885.tif 000012
【図１１】
0003183885.tif 000013
【図１２】
0003183885.tif 000014
【図１３】
0003183885.tif 000015
【図１４】
0003183885.tif 000016